(57)【要約】【課題】時間が経過しても研磨能力が低下することがなく、遊技媒体に付着した塩分を効果的に除去して、潤滑性、防錆・耐変色性などの性能を付与することのできる研磨シート及びこの研磨シートが張設された研磨装置を提供する。【解決手段】予め含浸された遊技媒体洗浄用の薬剤が乾燥されており、遊技媒体を研磨する時に水分が添加されて湿潤状態で使用される研磨シート４。なお、薬剤が、界面活性剤に潤滑剤、防錆剤、防腐・抗菌剤、帯電防止剤のうちの一種または２種以上が配合されたものであるのが望ましい。また、上記した研磨シート４が遊技媒体搬送ベルト３を挟んで張設されているうえに、この研磨シート４に水分を添加するための送水管５１が配設されている研磨装置。【選択図】    図１
2004216043.tif 000002
【特許請求の範囲】
【請求項１】
予め含浸された遊技媒体洗浄用の薬剤が乾燥されており、遊技媒体を研磨する時に水分が添加されて湿潤状態で使用されることを特徴とする研磨シート。
【請求項２】
薬剤が、界面活性剤に潤滑剤、防錆剤、防腐・抗菌剤、帯電防止剤のうちの一種または２種以上が配合されたものである請求項１に記載の研磨シート。
【請求項３】
請求項１または２に記載の研磨シートが遊技媒体の搬送部に張設されているうえに、この研磨シートに水分を添加するための水添加装置が配設されていることを特徴とする研磨装置。
【発明の詳細な説明】
【０００１】
【発明の属する技術分野】
本発明は、遊技に用いられるメダルやパチンコ球などの遊技媒体を研磨するための研磨シート及びこの研磨シートが張設された研磨装置に関するものである。
【０００２】
【従来の技術】
スロットマシンやパチンコ機などの遊技機に使用されるメダルやパチンコ球などの遊技媒体は、大気中の汚染物質、人の手指の脂などによって汚染されるので、一度使用した後には研磨装置により研磨、洗浄することが必要である。遊技媒体の研磨に使用される研磨シートとして、例えば、特開２０００−１２６４３４号公報には、部分的に油脂分または界面活性剤を含浸させた研磨シートが開示されている。しかしながら、この研磨シートにおいては、時間の経過とともに油脂分または界面活性剤が乾燥するので研磨能力が著しく低下してしまうという問題があった。また、遊技媒体は人の手に触れるものであるために汗などの塩分が多く付着するが、上記研磨シートはこの塩分を有効に除去することができず、遊技媒体が錆びたり変色したりすることがあった。また、研磨シートに含浸される洗浄液は、単に洗浄能力に優れているだけではなく、遊技媒体に光沢性、潤滑性、防錆・耐変色性、防腐・抗菌性、防帯電性などを付与できるものであるのが望ましいが、上記研磨シートには油脂分または界面活性剤が含浸されるのみであったので、遊技媒体に多種の性能を付与することができないものであった。
【０００３】
【特許文献１】特開２０００−１２６４３４号公報（請求項１）
【０００４】
【発明が解決しようとする課題】
本発明は上記した従来の問題点を解決し、時間が経過しても研磨能力が低下することがなく、付着した塩分を効果的に除去できるとともに、遊技媒体に潤滑性、防錆・耐変色性などの多くの性能を付与することのできる研磨シート及びこの研磨シートが張設された研磨装置を提供するためになされたものである。
【０００５】
【課題を解決するための手段】本発明は遊技媒体に付着した塩分の除去には水が最も効果的であることを見出した結果なされたものであって、上記の課題を解決するためになされた本発明の研磨シートは、予め含浸された遊技媒体洗浄用の薬剤が乾燥されており、遊技媒体を研磨する時に水分が添加されて湿潤状態で使用されることを特徴とするものである。なお、薬剤が、界面活性剤に潤滑剤、防錆剤、防腐・抗菌剤、帯電防止剤のうちの一種または２種以上が配合されたものであるのが望ましい。
また、本発明の研磨装置は、上記した研磨シートが遊技媒体の搬送部に張設されているうえに、この研磨シートに水分を添加するための水添加装置が配設されていることを特徴とするものである。
【０００６】
【発明の実施の形態】
以下に図面を参照しつつ本発明の好ましい実施形態を説明する。
図２、３は、遊技媒体であるメダルを遊技機設置島の上部に揚送するための遊技媒体揚送装置を示す図であって、揚送装置１の下部に研磨装置２が据え付けられている。研磨装置２には、遊技媒体搬送用ベルト３がモーターＭ１により駆動される４つのプーリー３１を周回して張設されており、この遊技媒体搬送用ベルト３を挟んで上下に一組の研磨シート４が張設されている。そして、研磨装置２の上方には水タンク５が設置されており、研磨シート４に送水管５１を介して水分を補給する。
【０００７】
遊技媒体搬送用ベルト３は、図４に詳細を示すように、左右一対の無端ベルト３２に、略コの字形でメダルの厚みより薄いメダル保持用の薄板３３が、一定間隔をおいて梯子段状に配置されて構成されており、前後の薄板３３との間に開口したメダル研磨用の受け部３４を形成している。受け部３４は、進行方向には一枚のメダルが入ることのできる寸法であるが、横方向には複数枚のメダルが入ることのできる幅に形成してあって、複数枚のメダルを横一列に保持して搬送することができる。研磨済みのメダルは排出路３５より揚送装置１に排出される。
【０００８】
研磨装置２の詳細を図１に示すが、この研磨装置２には上記したように、遊技媒体搬送用ベルト３の上側周回部の一部、即ち遊技媒体の搬送部を上下から挟んで一組の研磨シート４が張設されている。研磨シート４はロール状のものが払出軸４１に挿着され、その先端が巻取り軸４２に係止されたうえ、ガイドローラ４３、４４に緊張されて張設されている。なお、巻取り軸４２には割溝が形成されていて、研磨シート４の先端をこの割溝に挿し込んで係止することができる。そして、ガイドローラ４３の近傍の研磨シート４入り口には研磨シート４に水分を補給する送水管５１が配置されている。
【０００９】
また、研磨装置２は、巻取軸４２を駆動するモーター４５と、モーター４５を間欠的に駆動するコントローラ６とを備え、さらに、研磨シート４の送り量を計測するためのピッチ板７１を有するピッチローラ７と、ピッチローラ７の回転数を検出してその回転数をコントローラ６に伝達するフォトセンサー８とを備えている。
【００１０】
メダルは遊技媒体搬送ベルト３により搬送される途中において上下に張設された研磨シート４間を通過することによって研磨されるが、メダルの研磨によって研磨シート４は汚染するので間欠的に研磨部が移動される。即ち、モーター４５の駆動により巻取り軸４２を回転させると、研磨シート４が巻き取られて研磨シート４に接触して配置されているピッチローラ７が回転される。フォトセンサー８はピッチローラ７のピッチ板７１の通過枚数をカウントし、所定の枚数が通過したときにモーター４５を停止する。停止後所定の時間が経過した後にコントローラ６は再びモーター４５を駆動する。以下、同様にこの動作が繰り返されて、研磨シート４を、例えば１５分置きに２５ｍｍずつずらすことができる。時間、巻取り量は遊技ホールの混雑状況に応じて適宜調整される。
【００１１】
研磨シート４は、布、紙などを素地とするものであって、薬剤が含浸されたものである。薬剤は、界面活性剤を必須成分とし、これに潤滑剤、防錆剤、防腐・抗菌剤、帯電防止剤のうちの一種または２種以上が配合されたものとするのが望ましい。界面活性剤を必須成分とするのは皮脂汚れの洗浄力に優れているので、手に触れる機会が多い遊技媒体の洗浄には特に効果的な成分であるからである。また、界面活性剤は乾燥時に白化や粉ふきを生じないことが必要である。アニオン界面活性剤やカチオン界面活性剤には乾燥分が固形物になるものが多く、ポリオキシエチレンアルキルフェニルエーテルなどの非イオン界面活性剤は液状であるものが多い。また、界面活性剤は潤滑剤を乳化分散させるためにも不可欠である。
【００１２】
潤滑剤として、シリコーンオイル、ワックス、鉱物油、植物油などを用いることができる。特に繊維用の柔軟剤としても使用されるアミノ変性シリコーンは繊維への吸着性が良好で、繊維の耐久性の面でも優れており、少量で潤滑効果とともに光沢性を付与することができるので好適である。
また、メダルは真鍮製のものが多く変色し易いので、銅に対する防錆を行うのが望ましい。ベンゾトリアゾールやトリルトリアゾール等のトリアゾール類が金属表面への吸着性が良好で効果的である。
表１〜３に薬剤の成分を例示する。
【００１３】
【表１】
2004216043.tif 000003
【００１４】
【表２】
2004216043.tif 000004
【００１５】
【表３】
2004216043.tif 000005
【００１６】
薬剤を含浸後乾燥までに長時間を要する場合には、薬剤を含んだ液体が腐敗して悪臭を発する原因となる。また、人の手指が接触することから考えても、薬剤には防腐・抗菌剤を混合するのが望ましい。塩化ベンザルコニウムなどのカチオン界面活性剤は水への溶解性が良好であり、使用しやすいものである。
また、大気中には微細な塵や埃が浮遊しており、遊技媒体が帯電するとこれらが吸着して汚染されるので、薬剤には帯電防止剤を混合するのが望ましい。帯電防止剤として第４級アンモニウム塩類等のカチオン界面活性剤が効果的である。  以上のような薬剤を浸漬、塗布、噴霧などにより研磨シート４に含浸させた後に、自然乾燥もしくは温風や乾燥機などを用いて乾燥するが、若干の湿気の残留は許容されるものである。
【００１７】
研磨シート４はメダルを研磨中は間欠送りされつつ送水管５１から水分が添加される。水の添加は滴下方式を採用することができる。即ち、送水管５１の途中に横に捩じって開閉する栓（図示していない）を設け、この栓の開度を調整することにより滴下量を調整することができる。また、電磁弁を用いてコントローラ６によりこの電磁弁を間欠的に開閉することによっても、添加水量を調整して研磨シート４を一定の湿潤状態に湿らせることができる。水は、上側の研磨シート４に滴下することにより下側の研磨シート４に浸透し、上下両研磨シート４を湿潤状態に湿らせることができる。
以上のような薬剤が乾燥された研磨シート４を用いて、この研磨シート４に水分を添加しながらメダルを通過させることによって、綺麗にメダルを研磨することができる。なお、研磨シート４はパチンコ機の揚送装置の内部に設けて、水分を添加しつつパチンコ球を研磨することができるのはもちろんのことである。
【００１８】
【発明の効果】
以上に説明したように、本発明の研磨シートは、予め含浸させた薬剤を乾燥しておき、遊技媒体を研磨する時に水分を添加して使用するようにしたので、洗浄液が乾燥して研磨能力が低下することがない。また、人の触指により付着した塩分を水分により効果的に除去することができて、遊技媒体が錆びたり変色したりすることがない。薬剤を界面活性剤に潤滑剤、防錆剤、防腐・抗菌剤、帯電防止剤のうちの一種または２種以上が配合されたものとしたので、遊技媒体に潤滑性などの多くの性能を付与することができる。また、本発明の研磨装置は、上記した研磨シートを遊技媒体搬送部に張設したうえに、この研磨シートに水分を添加するための水添加装置を配設したので、研磨能力を常に一定に維持して遊技媒体を効率的に研磨することができる。
【図面の簡単な説明】
【図１】研磨装置の正面図である。
【図２】研磨装置が内設された遊技媒体揚送装置の正面図である。
【図３】図２の側面図である。
【図４】遊技媒体搬送ベルトの平面図である。
【符号の説明】
２    研磨装置
３    遊技媒体搬送ベルト
４    研磨シート
５１    送水管
【図１】
2004216043.tif 000006
【図２】
2004216043.tif 000007
【図３】
2004216043.tif 000008
【図４】
2004216043.tif 000009